(57)【特許請求の範囲】
【請求項１】
板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、本体基板と基台部および両者を連結する薄肉の揺動支点部を樹脂成形により一体に形成すると共に、電気信号導出部を一体に備えたフレキシブル基板を上記本体基板の少なくとも一方の面に重ねて固着して、このフレキシブル基板の配線パターン上に回動またはスライド型電子部品と共にプッシュスイッチを装着・接続し、さらにそのプッシュスイッチを、基台部から本体基板の上下面を挟むように伸ばされた対向支持部の先端に設けた駆動部により動作させるようにした多方向操作体。
【請求項２】
板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、本体基板と基台部および両者を連結する薄肉の揺動支点部を樹脂成形により一体に形成すると共に、電気信号導出部を一体に備えたフレキシブル基板を上記本体基板の少なくとも一方の面に重ねて固着し、このフレキシブル基板に形成された配線パターン上と固定接点上に可動接点を備えた操作部と弾性金属薄板からなるドーム状可動接点を配設して、回動またはスライド型電子部品と共にプッシュスイッチを形成し、さらにそのプッシュスイッチを、基台部から本体基板の上下面を挟むように伸ばされた対向支持部の先端に設けた駆動部により動作させるようにした多方向操作体。
【請求項３】
板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、剛体の絶縁基板からなる本体基板の配線パターン上に回動またはスライド型電子部品と共にプッシュスイッチを装着・接続し、基台部の孔により本体基板を揺動可能に保持して揺動支点部を構成すると共に、そのプッシュスイッチを、基台部から本体基板の上下面を挟むように伸ばされた対向支持部の先端に設けた駆動部により動作させるようにし、さらに本体基板下面の固定接点に弾接するように基台部から伸ばされた弾性接点を介して、回動またはスライド型電子部品とプッシュスイッチの電気信号を導出するようにした多方向操作体。
【請求項４】
剛体の絶縁基板からなる本体基板の配線パターン上に回動またはスライド型電子部品を装着・接続すると共に、本体基板の配線パターンに形成された固定接点上に弾性金属薄板からなるドーム状可動接点を配設してプッシュスイッチを形成した請求項３記載の多方向操作体。
【請求項５】
板状で、一端に揺動支点部を備えた本体基板と、この本体基板の揺動支点部と反対側の端部から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように配設されたプッシュスイッチとを有し、プッシュスイッチを本体基板の上面よりも下方の位置または下面よりも上方の位置の少なくとも一方に配設すると共に、上記プッシュスイッチを動作するための駆動部を本体基板の側方から突出した位置に本体基板面と段差を付けて設けた多方向操作体。
【請求項６】
請求項１〜５のいずれか一つに記載の多方向操作体を、操作部の一部が外部に突出する状態で機器本体の内部に装着した多方向操作装置。
【発明の詳細な説明】
【０００１】
【発明の属する技術分野】
本発明は主として携帯用電子機器の操作部やパーソナルコンピュータの座標入力装置、または各種電子機器のリモートコントローラ等に使用され、操作部を本体基板面に対して平行および上下方向に操作することにより駆動する多方向操作体及びこれを用いた多方向操作装置に関するものである。
【０００２】
【従来の技術】
従来のこの種の多方向操作体を図１７の側面図および図１８の平面図により説明する。
【０００３】
同図において、１は両面に金属箔からなる配線パターンを設けた薄くて弾性力を有する絶縁基板からなる本体基板であり、その前端（図中の左側）には操作つまみ２を有する回動型電子部品３が半田付けにより装着されており、また中間の上下面にはプッシュスイッチ４Ａ，４Ｂが各々半田付けにより装着されている。
【０００４】
そして、本体基板１の後端（図中の右側）の近傍は、基台部５の孔５Ａに圧入してビス６により固定されていると共に、基台部５から本体基板１の上下面を挟むように前方に伸ばされた対向支持部５Ｂ，５Ｃの先端の突部５Ｄ，５Ｅが丁度プッシュスイッチ４Ａ，４Ｂの操作ボタン４Ｃ，４Ｄに対向するように設けられている。
【０００５】
また、上記の回動型電子部品３およびプッシュスイッチ４Ａ，４Ｂからの電気信号は、本体基板１の金属箔からなる配線パターンにより後端の接続端子部１Ａに導かれ、ここに接続される図示しないフレキシブル配線基板を介してこの多方向操作体が装着される機器（図示せず）の回路に伝達されるようになっている。
【０００６】
このように構成された従来の多方向操作体において、操作つまみ２を本体基板１の面に対して平行に回動させることによって回動型電子部品３を操作することができると共に、操作つまみ２に上または下方向の押し力を加えると、本体基板１は基台部５から前方に突出している部分が撓められて上方または下方に曲がり、基板１の中間部の上面のプッシュスイッチ４Ａまたは下面のプッシュスイッチ４Ｂの操作ボタン４Ｃまたは４Ｄが対向支持部５Ｂまたは５Ｃ先端の突部５Ｄまたは５Ｅに押されることによってプッシュスイッチ４Ａまたは４Ｂが動作し、操作つまみ２に加えていた上方または下方への押し力を除くと、本体基板１は自身の弾性復元力によって元の真直な状態に復帰する。
【０００７】
すなわち、操作つまみ２の本体基板１の面に対して平行な方向の回動操作に加え、本体基板１の弾力性を利用して上下方向の操作を行うように構成されたものであった。
【０００８】
【発明が解決しようとする課題】
しかしながら上記従来の構成の多方向操作体では、本体基板１の中間部のプッシュスイッチ４Ａまたは４Ｂを動作させる場合に、操作する人が操作つまみ２に上または下方向の押し力を加えて薄くて弾力性のある本体基板１を撓ませるのであるが、この本体基板１を撓ませるための力がプッシュスイッチ４Ａまたは４Ｂの動作力にプラスされるためにスイッチ操作時の感触が鈍く感じられ、また本体基板１の根元部を主体として中間部もある程度撓むために操作ストロークが大きくて不安定になり、さらに多数回の繰返し曲げによって本体基板１および金属箔の配線パターンが疲労してクラックが入ることがある等の課題があった。
【０００９】
本発明はこのような従来の課題を解決するものであり、操作部を上下方向に操作する場合の操作感触が良好で操作ストロークが安定すると共に、多数回の使用によっても特性の劣化しない多方向操作体を提供することを目的とするものである。
【００１０】
【課題を解決するための手段】
上記課題を解決するために本発明は、本体基板の上下方向への揺動に応じたプッシュスイッチの動作時、およびそのプッシュスイッチの操作ボタンの弾性復帰力による本体基板の元の位置への復帰時に本体基板が撓まずに揺動するように構成するものである。
【００１１】
その具体構成としては、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、本体基板と基台部および両者を連結する薄肉の揺動支点部を樹脂成形により一体に形成すると共に、電気信号導出部を一体に備えたフレキシブル基板を上記本体基板の少なくとも一方の面に重ねて固着し、このフレキシブル基板の配線パターン上に回動またはスライド型電子部品と共にプッシュスイッチを装着・接続し、さらにそのプッシュスイッチを、基台部から本体基板の上下面を挟むように伸ばされた対向支持部の先端に設けた駆動部により動作させるようにした多方向操作体とするものである。
【００１２】
または、板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、本体基板と基台部および両者を連結する薄肉の揺動支点部を樹脂成形により一体に形成すると共に、電気信号導出部を一体に備えたフレキシブル基板を上記本体基板の少なくとも一方の面に重ねて固着し、このフレキシブル基板に形成された配線パターン上と固定接点上に可動接点を備えた操作部と弾性金属薄板からなるドーム状可動接点を配設して、回動またはスライド型電子部品と共にプッシュスイッチを形成し、さらにそのプッシュスイッチを、基台部から本体基板の上下面を挟むように伸ばされた対向支持部の先端に設けた駆動部により動作させるようにした多方向操作体とするものである。
【００１３】
または、板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、剛体の絶縁基板からなる本体基板の配線パターン上に回動またはスライド型電子部品と共にプッシュスイッチを装着・接続し、基台部の孔により本体基板を揺動可能に保持して揺動支点部を構成すると共に、そのプッシュスイッチを、基台部から本体基板の上下面を挟むように伸ばされた対向支持部の先端に設けた駆動部により動作させるようにし、さらに本体基板下面の固定接点に弾接するように基台部から伸ばされた弾性接点を介して、回動またはスライド型電子部品とプッシュスイッチの電気信号を導出するようにした多方向操作体とするものである。
【００１４】
または、板状で、一端に揺動支点部を備えた本体基板と、この本体基板の揺動支点部と反対側の端部から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように配設されたプッシュスイッチとを有し、プッシュスイッチを本体基板の上面よりも下方の位置または下面よりも上方の位置の少なくとも一方に配設すると共に、上記プッシュスイッチを動作するための駆動部を本体基板の側方から突出した位置に本体基板面と段差を付けて設けた多方向操作体とするものである。
【００１５】
それらの構成のものとすることによって、操作部を本体基板の上下方向に操作する場合にも操作感触が良好で操作ストロークが安定し、多数回の使用においても特性が安定した多方向操作体を実現することができる。
【００１６】
【発明の実施の形態】
本発明の請求項１に記載の発明は、板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、本体基板と基台部および両者を連結する薄肉の揺動支点部を樹脂成形により一体に形成すると共に、電気信号導出部を一体に備えたフレキシブル基板を上記本体基板の少なくとも一方の面に重ねて固着して、このフレキシブル基板の配線パターン上に回動またはスライド型電子部品と共にプッシュスイッチを装着・接続し、さらにそのプッシュスイッチを、基台部から本体基板の上下面を挟むように伸ばされた対向支持部の先端に設けた駆動部により動作させるようにした多方向操作体としたものであり、操作部を本体基板の上下方向に操作する場合の操作感触が良好で操作ストロークが安定し、多数回の使用においても特性が安定した操作ができる多方向操作体を実現することができる。また、プッシュスイッチを含めた多方向操作体全体を基台部を基準として一体化して組み立てておくことができるので、使用機器に組み込む際の取扱いが容易であると共に、操作部を本体基板の上下方向に操作する場合の操作ストロークのバラツキが生じ難い。さらには、既製の電子部品を使用して容易に形成することができると共に、電気信号の導出部をも一体に形成できるので接続の手間が不要であるという作用を有する。
【００１７】
請求項２に記載の発明は、板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、本体基板と基台部および両者を連結する薄肉の揺動支点部を樹脂成形により一体に形成すると共に、電気信号導出部を一体に備えたフレキシブル基板を上記本体基板の少なくとも一方の面に重ねて固着し、このフレキシブル基板に形成された配線パターン上と固定接点上に可動接点を備えた操作部と弾性金属薄板からなるドーム状可動接点を配設して、回動またはスライド型電子部品と共にプッシュスイッチを形成し、さらにそのプッシュスイッチを、基台部から本体基板の上下面を挟むように伸ばされた対向支持部の先端に設けた駆動部により動作させるようにした多方向操作体としたものであり、操作部を本体基板の上下方向に操作する場合の操作感触が良好で操作ストロークが安定し、多数回の使用においても特性が安定した操作ができる多方向操作体を実現することができる。また、プッシュスイッチを含めた多方向操作体全体を基台部を基準として一体化して組み立てておくことができるので、使用機器に組み込む際の取扱いが容易であると共に、操作部を本体基板の上下方向に操作する場合の操作ストロークのバラツキが生じ難い安価でコンパクトな多方向操作体に形成することができる。さらに、電気信号の導出部をも一体に形成できるので、接続の手間が不要であるという作用を有する。
【００１８】
請求項３に記載の発明は、板状で、後端側に揺動支点部を備えた本体基板と、この本体基板の揺動支点部と反対側の前端から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように上記揺動支点部より上記前端側となる中間位置に配設されたプッシュスイッチとを有し、剛体の絶縁基板からなる本体基板の配線パターン上に回動またはスライド型電子部品と共にプッシュスイッチを装着・接続し、基台部の孔により本体基板を揺動可能に保持して揺動支点部を構成すると共に、そのプッシュスイッチを、基台部から本体基板の上下面を挟むように伸ばされた対向支持部の先端に設けた駆動部により動作させるようにし、さらに本体基板下面の固定接点に弾接するように基台部から伸ばされた弾性接点を介して、回動またはスライド型電子部品とプッシュスイッチの電気信号を導出するようにした多方向操作体としたものであり、操作部を本体基板の上下方向に操作する場合の操作感触が良好で操作ストロークが安定し、多数回の使用においても特性が安定した操作ができる多方向操作体を実現することができる。また、プッシュスイッチを含めた多方向操作体全体を基台部を基準として一体化して組み立てておくことができるので、使用機器に組み込む際の取扱いが容易であると共に、操作部を本体基板の上下方向に操作する場合の操作ストロークのバラツキが生じ難い。さらには、既製の電子部品を使用して容易に形成することができると共に、その全ての電気信号を基台部から導出することができるという作用を有する。
【００１９】
請求項４に記載の発明は、請求項３記載の発明において、剛体の絶縁基板からなる本体基板の配線パターン上に回動またはスライド型電子部品を装着・接続すると共に、本体基板の配線パターンに形成された固定接点上に弾性金属薄板からなるドーム状可動接点を配設してプッシュスイッチを形成したものであり、安価でコンパクトな多方向操作体に形成することができるという作用を有する。
【００２０】
請求項５に記載の発明は、板状で、一端に揺動支点部を備えた本体基板と、この本体基板の揺動支点部と反対側の端部から操作部が突出するように本体基板上に装着されると共に、上記操作部を本体基板面に対して水平な方向に回動またはスライド操作することにより動作する回動またはスライド型電子部品と、上記本体基板を揺動支点部を介して上下方向の少なくとも一方に揺動させた時に動作するように配設されたプッシュスイッチとを有し、プッシュスイッチを本体基板の上面よりも下方の位置または下面よりも上方の位置の少なくとも一方に配設すると共に、上記プッシュスイッチを動作するための駆動部を本体基板の側方から突出した位置に本体基板面と段差を付けて設けた多方向操作体としたものであり、操作部を本体基板の上下方向に操作する場合の操作感触が良好で操作ストロークが安定し、多数回の使用においても特性が安定した操作ができる多方向操作体を実現することができて、プッシュスイッチを含めた多方向操作体全体としての高さ寸法を低くすることができるという作用を有する。
【００２１】
請求項６に記載の発明は、請求項１〜５のいずれか一つに記載の多方向操作体を、操作部の一部が外部に突出する状態で機器本体の内部に装着した多方向操作装置としたものであり、簡単な操作で複数の操作を実行できる多方向操作装置を提供できるという作用を有する。
【００２２】
以下、本発明の実施の形態について、図面を用いて説明する。
【００２３】
なお、本実施の形態において、従来の技術の項で説明したものと同じ構成の部分については同じ符号を付し、その詳細な説明を省略する。
【００２４】
（実施の形態１）
以下、本発明の第１の実施の形態について図１〜図４を用いて説明する。
【００２５】
図１は同実施の形態による多方向操作体の側面図、図２は同平面図であり、同図において、１１は本体基板、１３は対向支持部１４Ａ，１４Ｂを有した基台部であり、上記本体基板１１は基台部１３の中央の揺動支点部１５により上下動可能に連結された形で樹脂により基台部１３と一体に形成されている。
【００２６】
そして、金属箔等からなる配線パターンを有する一枚のフレキシブル基板１６を折り曲げて、上記本体基板１１の上下面のダボ１１Ａに孔１６Ａを合わせて位置決め固着して配線パターン付き本体基板１７とし、この配線パターン付き本体基板１７上の前端（図中の左側）に外周操作形の円板状操作つまみ２（以下、操作つまみ２と表わす）を有する回動型電子部品であるクリック節度付き回転型エンコーダ３（以下、エンコーダ３と表わす）が半田付けにより装着されており、また中間の上下面にはプッシュスイッチ４Ａ，４Ｂ（以下、スイッチ４Ａ，４Ｂと表わす）が各々半田付けにより装着されている。
【００２７】
そして、この配線パターン付き本体基板１７、すなわち本体基板１１の後端（図中の右側）が薄肉の揺動支点部１５を介して基台部１３に連結されていると共に、基台部１３から本体基板１１の上下面を挟むように前方に伸ばされた対向支持部１４Ａ，１４Ｂ先端の突部１４Ｃ，１４Ｄが丁度スイッチ４Ａ，４Ｂの操作ボタン４Ｃ，４Ｄに当接するように設けられて、操作つまみ２を有するエンコーダ３およびスイッチ４Ａ，４Ｂを装着した配線パターン付き本体基板１７を中立位置に保持している。
【００２８】
一方、上記エンコーダ３およびスイッチ４Ａ，４Ｂからの電気信号導出部１６Ｂもフレキシブル基板１６で一体に形成されている。
【００２９】
本実施の形態による多方向操作体は以上のように構成されるものであるが、多方向操作装置である電子機器に接続される場合は、図３の電子機器への装着状態を説明する断面図に示すように、基台部１３の下面となる対向支持部１４Ｂを電子機器の本体ケース１８に当ててビス１９によって固定し、エンコーダ３の操作つまみ２の一部が本体ケース１８に設けられた隙間２０から外部に突出するように取り付けられる。
【００３０】
次に、本実施の形態による多方向操作体の動作について説明すると、まず図２に矢印で示すように、操作つまみ２の本体ケース１８からの突出部分２Ａに接線方向の力を加えて本体基板１１の面に平行に回転させることによってエンコーダ３がその回転方向に対応したパルス信号をクリック節度を伴って発生し、その信号は配線パターン付き本体基板１７の電気信号導出部１６Ｂを経て電子機器の回路に伝達される。
【００３１】
なお、この回転操作の後、操作つまみ２はクリック節度点に停止している。
【００３２】
また、図４の操作状態を説明する電子機器の断面図に矢印で示すように、操作つまみ２の本体ケース１８からの突出部分２Ａに上方向の押し力を加えると、配線パターン付き本体基板１７は後端の揺動支点部１５を支点として上動し、その中間部の上面のスイッチ４Ａの操作ボタン４Ｃが対向支持部１４Ａ先端の突部１４Ｃによって押されることによりスイッチ４Ａが動作し、この信号も上記電気信号導出部１６Ｂを経て電子機器の回路に伝達される。
【００３３】
そして、操作つまみ２に加えていた上方への押し力を除くと、配線パターン付き本体基板１７はスイッチ４Ａの操作ボタン４Ｃの復帰力によって押し戻されて元の中立位置に戻る。
【００３４】
同様にして、操作つまみ２の本体ケース１８からの突出部分２Ａに下方向の押し力を加えると、配線パターン付き本体基板１７の中間部の下面のスイッチ４Ｂが動作するものである。
【００３５】
そして、この操作つまみ２に上方向または下方向の押し力を加える時に、操作つまみ２は回転方向においてはエンコーダ３のクリック節度点に停止しているので回転せず、エンコーダ３がパルス信号を発することはない。
【００３６】
なお、配線パターン付き本体基板１７、すなわち操作つまみ２を中立位置に保持する二つのプッシュスイッチ４Ａ，４Ｂは、操作ボタン４Ｃ，４Ｄの復帰力およびこれに比例する動作力が大きい方が配線パターン付き本体基板１７、すなわち操作つまみ２の位置が安定するものである。
【００３７】
したがって、本実施の形態によれば、操作つまみ２を上下方向に操作する場合に、配線パターン付き本体基板１７は揺動支点部１５を支点として軽い力で揺動するので本体基板１１が撓むことはなく、プッシュスイッチ４Ａおよび４Ｂの操作感触は良好で操作ストロークも安定し、さらに多数回の使用においても特性が安定した四方向の操作ができる多方向操作体を実現することができるものである。
【００３８】
また、上記の説明においては、配線パターン付き本体基板１７の先端に回転型エンコーダ３を装着する場合を例にして述べたが、これは回転式切替スイッチとしてもよいことは勿論であると共に、これらの回動型電子部品を特開平８−２０３３８７号公報に記載されたような操作つまみ２を後部側に押し込むことによって動作するプッシュスイッチを備えたものとすることによって五方向の操作ができる多方向操作体を実現することができるものである。
【００３９】
また、スイッチ４Ａ，４Ｂは配線パターン付き本体基板１７の上下に２個装着した構成としたが、１個として三方向の操作ができる多方向操作体としても良く、さらにスイッチ４Ａ，４Ｂを基台部１３の対向支持部１４Ａ，１４Ｂ側に装着しても同様の多方向操作体が実現できることは言うまでもない。
【００４０】
（実施の形態２）
以下、本発明の第２の実施の形態について図５〜図７を用いて説明する。
【００４１】
図５は同実施の形態による多方向操作体の断面図、図６は同平面図であり、本実施の形態による多方向操作体は、上記実施の形態１に対して回動型電子部品であるクリック節度付き回転型エンコーダおよび二つのプッシュスイッチの構成が異なるものである。
【００４２】
すなわち、図５および図６に示すように、基台部２３と対向支持部２４Ａ，２４Ｂを有した基台部２３に対して揺動支点部２５により上下動可能に連結した本体基板２１を樹脂で一体に形成し、この本体基板２１に対して金属箔等からなる配線パターンを有する一枚のフレキシブル基板２６を折り曲げて上下面のダボ２１Ａに孔２６Ａを合わせて位置決め固着し、配線パターン付き本体基板２７を形成していることは実施の形態１の場合と同様であるが、上記本体基板２１には、クリック節度付き回転型エンコーダ２８（以下、エンコーダ２８と表わす）用の貫通小孔２９およびこれと同心のリング状に配されたクリック用の節度山部３０が設けられ、一方、配線パターン付きのフレキシブル基板２６上には、エンコーダ２８用の放射状固定接点３１および中間上下面の二つのプッシュスイッチ３２，３３（以下、スイッチ３２，３３と表わす）用の固定接点３４Ａ，３４Ｂおよび３５Ａ，３５Ｂが配線パターンと共に設けられている。
【００４３】
そして、このように形成された配線パターン付き本体基板２７に対して、その節度山部３０に弾接する節度ばね３６および放射状固定接点３１に弾接する弾性可動接点３７を下面に保持した外周操作型の円板状操作つまみ３８（以下、操作つまみ３８と表わす）が載せられ、その中心孔に通した円形段鋲３９を本体基板２１の貫通小孔２９に通してカシメることにより回転可能に装着されてエンコーダ２８が形成されている。
【００４４】
一方、配線パターン付き本体基板２７の中間の上下面に形成されたスイッチ３２，３３用の固定接点３４Ａ，３４Ｂおよび３５Ａ，３５Ｂには、弾性金属板からなるドーム状可動接点４０，４１がそれぞれ載せられ、その上から下面に接着剤を有する可撓性の絶縁フィルム４２，４３を貼り付けて位置決めしてスイッチ３２，３３が形成されており、基台部２３から本体基板２１の上下面を挟むように伸ばされた対向支持部２４Ａ，２４Ｂの先端の突部２４Ｃ，２４Ｄが丁度スイッチ３２，３３に当接して配線パターン付き本体基板２７を中立位置に保持している。
【００４５】
上記配線パターン付き本体基板２７の上面のスイッチ３２の詳細な構成は、図７（ａ）のプッシュスイッチ部の部分拡大平面図および同図（ｂ）の同部分拡大断面図に示すように、上面の配線パターンを形成する金属箔で切欠部３４Ｃを有するリング状の外側固定接点３４Ａとその中心の中央固定接点３４Ｂを形成し、外側固定接点３４Ａ上にドーム状可動接点４０の外周下端部を載せているのであるが、このドーム状可動接点４０の下端部が、上記切欠部３４Ｃを通る中央固定接点３４Ｂの導出リード部３４Ｄと接触しないように、導出リード部３４Ｄの上には小さな絶縁フィルム３４Ｅが貼られており、さらにドーム状可動接点４０の上から、下面に接着剤を有する可撓性の絶縁フィルム４２を被せ貼り付けてドーム状可動接点４０の位置が固定されている。
【００４６】
また、配線パターン付き本体基板２７の下面のスイッチ３３も同様の構成となっている。
【００４７】
そして、上記エンコーダ２８およびスイッチ３２，３３からの電気信号導出部２６Ｂがフレキシブル基板２６で一体に形成されていることも、実施の形態１の場合と同様である。
【００４８】
このように構成された本実施の形態による多方向操作体の動作は、実施の形態１の場合と同じであるので、その説明を省略する。
【００４９】
以上のように、本実施の形態によれば、実施の形態１の場合よりも安価でコンパクトな多方向操作体を実現できるものである。
【００５０】
（実施の形態３）
以下、本発明の第３の実施の形態について図８〜図１０を用いて説明する。
【００５１】
図８は同実施の形態による多方向操作体の部分断面側面図、図９は同部分断面平面図であり、本実施の形態による多方向操作体は、上記実施の形態１の場合に対して、配線パターン付き本体基板の形成方法および保持方法が異なるものである。
【００５２】
すなわち、図８および図９に示すように、上下両面に金属箔等による配線パターンを有する剛体の絶縁基板で本体基板４４を形成すると共に、樹脂で対向支持部４７Ａ，４７Ｂを有した基台部４６を形成し、この基台部４６の中央に設けた横方向の貫通孔４８に本体基板４４を挿入結合させることにより上下動可能に保持している。
【００５３】
そして、本体基板４４の前端（図中の左側）には操作つまみ２を有するエンコーダ３が半田付けにより装着されると共に、中間の上下面にスイッチ４Ａ，４Ｂが各々半田付けにより装着され、基台部４６から伸ばされた対向支持部４７Ａ，４７Ｂの先端の突部４７Ｃ，４７Ｄが丁度スイッチ４Ａ，４Ｂの操作ボタン４Ｃ，４Ｄに当接するように配されて、この本体基板４４を中立位置に保持している。
【００５４】
一方、上記エンコーダ３およびスイッチ４Ａ，４Ｂからの電気信号は、本体基板４４上の配線パターンによって後方（図中の右側）下面の固定接点４９Ａ，４９Ｂ，…に伝えられるが、後方の基台部４６には弾性金属薄板からなる弾性接点５０Ａ，５０Ｂ，…が装着されており、それぞれの弾性脚部先端の接点部５１Ａ，５１Ｂ，…が各固定接点４９Ａ，４９Ｂ，…に弾接して、その電気信号を下方の脚部５２Ａ，５２Ｂ，…を通して外部に導出できるようになっている。
【００５５】
そして、上記本体基板４４を基台部４６の貫通孔４８に挿入結合させる方法は図１０の部分断面の平面図に示すように、基台部４６の貫通孔４８の前部の小径壁部４８Ａに本体基板４４の後端のテーパー部４４Ａを合わせて強く押し込むことにより切り込み段部４４Ｂまで挿入し、小径壁部４８Ａを切り込み部４４Ｃにはめ込んで結合させるものである。
【００５６】
これにより、本体基板４４は前後方向および左右方向には動かなくなるが、図８に示すように貫通孔４８は後部が広くなっているので、上下方向には動作可能に保持されるものである。
【００５７】
このように構成された実施の形態による多方向操作体の動作は、実施の形態１の場合と同じであるので、その説明を省略する。
【００５８】
以上のように、本実施の形態によれば、既製の電子部品を使用して、四方向の操作ができる多方向操作体を容易に形成することができると共に、その全ての電気信号を保持体の基台部から電子機器の配線基板へ直接伝達することができるものである。
【００５９】
なお、本実施の形態において、本体基板４４の中間の上下面に装着するスイッチ４Ａ，４Ｂは、上記実施の形態２で説明したように、本体基板４４上に形成した固定接点上に弾性金属薄板製のドーム状可動接点を配して形成することにより、より安価でコンパクトな構成にできることは勿論である。
【００６０】
また、実施の形態２および３においても、実施の形態１の場合と同様に、配線パターン付き本体基板の先端の回転型エンコーダに代えて回転式切替式スイッチを装着してもよいこと、および、回転型電子部品を特開平８−２０３３８７号公報に記載されたような操作つまみを後部側に押し込むことによって動作するプッシュスイッチを備えたものとすることによって、五方向の操作ができる多方向操作体を実現できるものであることは言うまでもない。
【００６１】
また、スイッチ３２，３３またはスイッチ４Ａ，４Ｂはフレキシブル基板２６または本体基板４４の上下に２個装着した構成としたが、１個として三方向の操作ができる多方向操作体としても良く、さらにスイッチ４Ａ，４Ｂを基台部４６の対向支持部４７Ａ，４７Ｂ側に装着しても同様の多方向操作体が実現できることは言うまでもない。
【００６２】
（実施の形態４）
以下、本発明の第４の実施の形態について図１１〜図１３を用いて説明する。
【００６３】
図１１は同実施の形態による多方向操作体の部分断面側面図、図１２は同部分断面平面図、図１３は同分解斜視図であり、本実施の形態による多方向操作体は、エンコーダが装着された本体基板の下面側にスイッチを配置した構成のものである。
【００６４】
すなわち、同図に示すように、１２は操作つまみ２を有するエンコーダが装着された本体基板であり、この本体基板１２には一端に揺動軸１２Ａが設けられ、この揺動軸１２Ａが上ケース５３と下ケース５４にそれぞれ設けられた揺動支点部５３Ａ，５４Ａに係合されることにより、揺動軸１２Ａを支点としてエンコーダが装着された本体基板１２が上下に揺動自在に装着されると共に、エンコーダの操作つまみ２の一部が下ケース５４に設けられた開口部５４Ｂを介して下ケース５４から外部に突出するように装着されている。
【００６５】
また、上記エンコーダが装着された本体基板１２の下面側にはスイッチ４Ａが配置され、このスイッチ４Ａの操作ボタン４Ｃに本体基板１２の下面に設けた突部１２Ｂが当接した状態となり、スイッチ４Ａの操作ボタン４Ｃの復帰力により通常状態では本体基板１２を上方に付勢し、スイッチ４Ａがオフの状態となるようにしている。
【００６６】
また、５５はフレキシブル基板であり、上記エンコーダを装着した本体基板１２に設けられた端子１２Ｃに接続されると共に、スイッチ４Ａとも接続され、それぞれの出力信号を外部に導出するようにしているものである。
【００６７】
このように構成された本実施の形態による多方向操作体の動作は、実施の形態１の場合と同じであるのでその説明を省略する。
【００６８】
以上のように本実施の形態によれば、操作部を本体基板の上下方向に操作する場合の操作感触が良好で操作ストロークが安定し、多数回の使用においても特性が安定した操作ができる多方向操作体を提供することができるものである。
【００６９】
なお、本実施の形態において、エンコーダが装着された本体基板１２の下面側に配置されるスイッチ４Ａは、上記実施の形態２で説明したように、本体基板１２上に形成した固定接点上に弾性金属薄板製のドーム状可動接点を配して形成することにより、より安価でコンパクトな構成にできることは勿論である。
【００７０】
また、実施の形態１の場合と同様に、本体基板１２上に装着されるエンコーダに代えて回転式切替式スイッチを装着しても良いこと、および回転型電子部品を特開平８−２０３３８７号公報に記載されたような操作つまみを後部側に押し込むことによって動作するプッシュスイッチを備えたものとすることも可能であることは言うまでもない。
【００７１】
（実施の形態５）
以下、本発明の第５の実施の形態について図１４〜図１６を用いて説明する。
【００７２】
図１４は同実施の形態による多方向操作体の部分断面平面図、図１５は図１４のＡ−Ａ断面による側面断面図、図１６は図１４のＢ−Ｂ断面による正面断面図であり、本実施の形態による多方向操作体は、エンコーダが装着された本体基板からアーム状に延びた駆動部を設け、この駆動部により操作される位置にスイッチを配置した構成のものである。
【００７３】
すなわち、同図に示すように、２２は操作つまみ２を有するエンコーダが装着された本体基板であり、この本体基板２２には一端に揺動軸２２Ａが設けられ、この揺動軸２２Ａが上ケース５６と下ケース５７にそれぞれ設けられた揺動支点部５６Ａ，５７Ａに係合されることにより、揺動軸２２Ａを支点としてエンコーダが装着された本体基板２２が上下に揺動自在に装着されると共に、エンコーダの操作つまみ２の一部が上ケース５６と下ケース５７に設けられた開口部５６Ｂ，５７Ｂを介して外部に突出するように装着されている。
【００７４】
また、２２Ｂ，２２Ｃは上記エンコーダが装着された本体基板２２からアーム状に延びた駆動部であり、この駆動部２２Ｂの図中上面側、駆動部２２Ｃの図中下面側にはそれぞれ突部２２Ｄが設けられ、この２つの突部２２Ｄにそれぞれ操作ボタン４Ｃ，４Ｄが当接するようにスイッチ４Ａ，４Ｂが配置されており、上記スイッチ４Ａ，４Ｂの操作ボタン４Ｃ，４Ｄの復帰力により、通常状態では本体基板２２を中立位置に保ってスイッチ４Ａ，４Ｂが共にオフの状態となるようにしている。
【００７５】
また、上記駆動部２２Ｂ，２２Ｃは段差を設けた構成とし、スイッチ４Ａ，４Ｂが本体基板２２の上面よりも下方の位置または下面よりも上方の位置に配設されるようにしている。
【００７６】
また、５８はフレキシブル基板であり、上記エンコーダを装着した本体基板２２に設けられた端子２２Ｅに接続されると共に、スイッチ４Ａ，４Ｂとも接続され、それぞれの出力信号を外部に導出するようにしているものである。
【００７７】
このように構成された本実施の形態による多方向操作体の動作は、実施の形態１の場合と同じであるのでその説明を省略する。
【００７８】
以上のように本実施の形態によれば、上記実施の形態４による効果に加えて、スイッチを含めた多方向操作体全体としての高さ寸法を低くすることができるものである。
【００７９】
なお、本実施の形態において、エンコーダが装着された本体基板２２に一体で設けた駆動部２２Ｂ，２２Ｃによって動作されるスイッチ４Ａ，４Ｂは、本体基板２２側に設けても良く、その数量も１個でも良く、またスイッチの構成を固定接点上に弾性金属薄板製のドーム状可動接点を配して形成することにより、より安価でコンパクトな構成にできることは勿論である。
【００８０】
また、実施の形態１の場合と同様に、本体基板２２上に装着されるエンコーダに代えて回転式切替式スイッチを装着しても良いこと、および回転型電子部品を特開平８−２０３３８７号公報に記載されたような操作つまみを後部側に押し込むことによって動作するプッシュスイッチを備えたものとすることも可能であることは言うまでもない。
【００８１】
【発明の効果】
本発明の各請求項によるものの構成とすれば、操作部を上下方向に操作する場合にも操作感触が良好で操作ストロークも安定していると共に、多数回の使用においても特性が安定した多方向操作体及びこれを用いた多方向操作装置を提供することができるという有利な効果が得られる。
【図面の簡単な説明】
【図１】  本発明の第１の実施の形態による多方向操作体の側面図
【図２】  同平面図
【図３】  同電子機器への装着状態を説明する断面図
【図４】  同操作状態を説明する電子機器の断面図
【図５】  本発明の第２の実施の形態による多方向操作体の断面図
【図６】  同平面図
【図７】  （ａ）同プッシュスイッチ部の部分拡大平面図
（ｂ）同部分拡大断面図
【図８】  本発明の第３の実施の形態による多方向操作体の部分断面側面図
【図９】  同部分断面平面図
【図１０】  同要部である基板部と基台部の結合方法を説明する部分断面平面図
【図１１】  本発明の第４の実施の形態による多方向操作体の部分断面側面図
【図１２】  同部分断面平面図
【図１３】  同分解斜視図
【図１４】  本発明の第５の実施の形態による多方向操作体の部分断面平面図
【図１５】  図１４のＡ−Ａ断面による側面断面図
【図１６】  図１４のＢ−Ｂ断面による正面断面図
【図１７】  従来の多方向操作体の側面図
【図１８】  同平面図
【符号の説明】
２，３８  円板状操作つまみ
２Ａ  突出部分
３  クリック節度付き回転型エンコーダ
４Ａ，４Ｂ  プッシュスイッチ
４Ｃ，４Ｄ  操作ボタン
１１，１２，２１，２２，４４  本体基板
１１Ａ，２１Ａ  ダボ
１２Ａ，２２Ａ  揺動軸
１２Ｂ，２２Ｄ，１４Ｃ，１４Ｄ，２４Ｃ，２４Ｄ，４７Ｃ，４７Ｄ  突部
１２Ｃ，２２Ｅ  端子
１３，２３，４６  基台部
１４Ａ，１４Ｂ，２４Ａ，２４Ｂ，４７Ａ，４７Ｂ  対向支持部
１５，２５  揺動支点部
１６，２６，５５，５８  フレキシブル基板
１６Ａ，２６Ａ  孔
１６Ｂ，２６Ｂ  電気信号導出部
１７，２７  配線パターン付き本体基板
１８  本体ケース
１９  ビス
２０  隙間
２２Ｂ，２２Ｃ  駆動部
２８  クリック節度付き回転型エンコーダ
２９  貫通小孔
３０  節度山部
３１  放射状固定接点
３２，３３  プッシュスイッチ
３４Ａ，３５Ａ  外側固定接点
３４Ｂ，３５Ｂ  中央固定接点
３４Ｃ  切欠部
３４Ｄ  導出リード部
３４Ｅ，４２，４３  絶縁フィルム
３６  節度ばね
３７  弾性可動接点
３９  円形段鋲
４０，４１  ドーム状可動接点
４４Ａ  テーパー部
４４Ｂ  切り込み段部
４４Ｃ  切り込み部
４８  貫通孔
４８Ａ  小径壁部
４９Ａ，４９Ｂ  固定接点
５０Ａ，５０Ｂ  弾性接点
５１Ａ，５１Ｂ  接点部
５２Ａ，５２Ｂ  脚部
５３，５６  上ケース
５３Ａ，５４Ａ，５６Ａ，５７Ａ  揺動支点部
５４，５７  下ケース
５４Ｂ，５６Ｂ，５７Ｂ  開口部
【図１】
0004026201.tif 000002
【図２】
0004026201.tif 000003
【図３】
0004026201.tif 000004
【図４】
0004026201.tif 000005
【図５】
0004026201.tif 000006
【図６】
0004026201.tif 000007
【図７】
0004026201.tif 000008
【図８】
0004026201.tif 000009
【図９】
0004026201.tif 000010
【図１０】
0004026201.tif 000011
【図１１】
0004026201.tif 000012
【図１２】
0004026201.tif 000013
【図１３】
0004026201.tif 000014
【図１４】
0004026201.tif 000015
【図１５】
0004026201.tif 000016
【図１６】
0004026201.tif 000017
【図１７】
0004026201.tif 000018
【図１８】
0004026201.tif 000019